(57)【要約】【課題】眼鏡レンズの曲面に合わせて布を表裏から密着させてきれいに拭くことができ、色々なデザインにカットされた眼鏡のレンズのどれでも使える、携帯可能な眼鏡レンズクリーナーを提供する。【解決手段】布板１、アーム２、グリップ３といった部位から成る本体を用い、眼鏡６のレンズ７を１で表裏から挟んで拭く。１は７に触れる布面に緩やかな凸Ｒをつけて７を挟んだときにレンズの曲面にしっくりと表裏から密着させることができ、また、１は円形状の小さめなものとすることで７の形状や大きさに関係なく隅々まで拭き取ることができる。そして２と１を携行中の衝撃や汚れから守るためのキャップ４を備える事、ポケットに挿して携帯できるようにクリップ５を持つことで携帯可能となり、課題を解決した。【選択図】図１
2007212484.tif 000002
【特許請求の範囲】
【請求項１】
持ちやすい適当な厚みと長さを持つグリップ、グリップから伸びる２本のアーム、アームの先端部から合い向かいに突出させた円形状の板面に布を貼った布板という部位によって構成される、短めのピンセットのような印象を与える外観を持つ本体と、アームと布板を格納するスペースを有するキャップとの組み合わせで１つのセットとなる事と、キャップを本体にはめ込むことで一本のスティック状となるデザインを有し、アームと布板はキャップの内部で外部からの衝撃や汚れから保護される事と、持ち運びが便利なようにキャップにはポケットなどに挿せるクリップを付けている事と、布板の円形状の布は使用時にレンズの曲面にしっくりと密着させる目的で、レンズに傷をつけない種類の素材を緩やかな凸Ｒをつけて貼ってある事を特徴として、使用時はグリップを摘むことではアームの先端の布板が表裏から眼鏡のレンズを挟み、レンズの汚れを拭き取ることができる眼鏡レンズクリーナー。
【発明の詳細な説明】
【技術分野】
【０００１】
本発明は、板面に布を貼った布板で眼鏡レンズを表裏から挟んで簡単にレンズを磨く、または汚れを拭き取ることができ、携帯可能な眼鏡レンズクリーナーに関するものである。
【背景技術】
【０００２】
眼鏡を使用しない人には関係ない事象ではあるが、普段眼鏡を掛けている人達にとって気になる問題が眼鏡の汚れに関してのことで、眼鏡ケースを携行する人などは眼鏡ケースにレンズを拭く専用の布を入れておけるが、眼鏡を掛けっぱなしで眼鏡ケースを持ち歩かない人などはレンズを拭こうとしても持ち合わせるものは携帯ティッシュペーパーかハンカチくらいで、携帯ティッシュペーパーは枚数に限りがあるし、ハンカチもすでに汚れていたり、油膜がレンズに付着してしまったりすることも多くて、かえってレンズを汚してしまう場合もある。
【０００３】
眼鏡のレンズを拭く専用の布を使ってレンズを拭くことで上記の問題は解決したとしても、別の細かい問題が発生する。たとえば眼鏡の形によっては指の厚みが邪魔をして、隅々まで拭き取るのにかなり丁寧な拭き方が要求されるし、布が大きいと今自分が拭き取っている箇所がよくわからず拭き残しなどができてしまうなどといったことだ。
【０００４】
そのため、いつでも使えるよう携帯できて、レンズの隅々まで楽に拭き取れ、しかも自分が今拭いている場所がわかる眼鏡専用のレンズクリーナーがあれば問題は解決すると判断した。
【発明の開示】
【発明が解決しようとする課題】
【０００５】
解決しようとする問題点は、眼鏡専用のレンズクリーナーを作る事で、レンズを拭く時に人の指の届かない場所ができてしまうような眼鏡でもレンズの隅々まで拭き取ることができる事と、眼鏡レンズを確実に拭くために布部をレンズの曲面にしっくりと密着させる工夫をする事と、携帯可能な事である。
【課題を解決するための手段】
【０００６】
ピンセットの先端にレンズを拭く布を貼った布板が合い向かいに付いているといった外観の形状を持つ眼鏡専用のレンズクリーナーとして、眼鏡レンズを表裏から布板で挟んで磨く、あるいは汚れを拭き取る道具とした事と、布板を円形状の小さめなものにして眼鏡レンズの形状や大きさに関係なく隅々まで拭き取ることができるようにした事と、布板のレンズに触れる布面に緩やかな凸Ｒをつけて眼鏡レンズを挟んだときにレンズの曲面にしっくりと表裏から密着させることができるようにした事と、布板を携行中の衝撃や汚れから守るためのキャップを備えて携帯可能にした事で課題を解決している。
【発明の効果】
【０００７】
本発明の眼鏡レンズクリーナーは、２本のアームの先端に合い向かいに突出させた円形状の板面に布を貼った布板の、レンズに触れる面に緩やかな凸Ｒをつけたことで、眼鏡レンズを挟んだときにレンズの曲面に表裏から密着させてレンズを拭き取ることができることと、布板を小さくしたことで眼鏡レンズの形状や大きさに関係なく隅々までレンズを磨く、あるいは汚れを拭き取ることができるようになっており、また、布板を小さくしたことで自分が今レンズのどの部分を拭いているのかもわかりやすくなっている。
【発明を実施するための最良の形態】
【０００８】
持ちやすい適当な厚みと長さを持つグリップ、グリップから伸びる２本のアーム、アーム先端にはグリップを摘むことでレンズの曲面に合わせてしっくりと表裏から密着させて挟み、隅々まで拭き取ることができるように小さめな円形状の板面に緩やかな凸Ｒをつけて布を貼ってある布板という部位によって成る、全体の形状が短めのピンセットのような印象を与える外観の本体と、アームと布板を保護し格納できるスペースを有するキャップとの組み合わせで構成されており、本体とキャップは組み合わせて一本のスティック状となり、持ち運びが便利なようにキャップにはポケットなどに挿せるクリップを付けている形態とした。
【実施例１】
【０００９】
図１は本発明の１実施例を示した説明図で、１は眼鏡のレンズを表裏から挟む布板、２はアーム、３はグリップであり、これらの部位から成る本体と、４のキャップと組み合わせて１つのセットとなる。５は服のポケットなどに挿すときに使うクリップ、６は眼鏡、７は眼鏡のレンズである。
【００１０】
本発明の１実施例は上記の如き部位で構成され、使用時は６を一方の手に持ち、本発明の眼鏡レンズクリーナー本体をもう片方の手で３を握って２の先に付く１の間に７を差し入れ、適度な力加減で挟んで動かすことによって７を磨くなり、汚れを拭き取るなりできる。
【００１１】
４の内部には２と１を格納するスペースを持ち、使用しない時や携帯時は本体に４を装着する。本体と４は装着面に抜け防止の措置を施してあって、装着すれば３の先部と４の面が合わさり一本のスティック状になり、４は本体から抜けにくくなることから２と１を保護しながら保管できる。
【００１２】
図２に示すように、４に付いている５を用いて服の胸ポケットなどに挿して携行すれば落としたり忘れたりしにくい。
【産業上の利用可能性】
【００１３】
携帯していつでもポケット等から取り出して使える眼鏡レンズクリーナーとしての用途に使用する。
【図面の簡単な説明】
【００１４】
【図１】眼鏡レンズクリーナーの実施方法を示した説明図である。（実施例１）
【図２】携帯時の状態を示す参考図である。（実施例１）
【符号の説明】
【００１５】
１  レンズ清掃用の布板
２  アーム
３  グリップ
４  キャップ
５  服のポケットなどに挿すときに使うクリップ
６  眼鏡
７  眼鏡レンズ
【図１】
2007212484.tif 000003
【図２】
2007212484.tif 000004